(57)【要約】【課題】タイトルに付加されたコメントの変更を適時に促すことで、効果的にタイトルの管理を行える録画再生装置を提供することである。【解決手段】ＨＤＤ一体型光ディスク装置（録画再生装置）１０は、操作に応じて、ユーザ名を登録し、操作に応じて、ユーザ名及びタイトルに対応させてコメントを付加し、再生を停止した場合であって、再生を停止した位置がそのタイトルの残り所定時間以内であった場合に、そのタイトルに付加されたコメントの変更を促す画面を出力する構成とする。【選択図】図７
2009104735.tif 000002
【特許請求の範囲】
【請求項１】
記録媒体にタイトル毎に録画しそれを再生する録画再生装置において、
制御部は、
操作に応じて、ユーザ名を登録し、
操作に応じて、ユーザ名及びタイトルに対応させてコメントを付加し、
再生を停止した場合、そのタイトルに付加されたコメントの変更を促すことを特徴とする録画再生装置。
【請求項２】
前記制御部は、
再生を停止した場合であって、再生を停止した位置がそのタイトルの残り所定時間以内であった場合に、そのタイトルに付加されたコメントの変更を促すことを特徴とする請求項１記載の録画再生装置。
【請求項３】
前記コメントは、視聴済みと未視聴とを識別するものであることを特徴とする請求項１又は２記載の録画再生装置。
【請求項４】
前記制御部は、
操作に応じて、登録されているユーザ名に対して検索し、未視聴のコメントが付されたタイトルの一覧又は視聴済みのコメントが付されたタイトルの一覧を出力することを特徴とする請求項３記載の録画再生装置。
【請求項５】
前記コメントは、消去可と消去不可とを識別するものであることを特徴とする請求項１又は２記載の録画再生装置。
【請求項６】
前記制御部は、
操作に応じて、登録されているユーザ名に対して検索し、消去可のコメントが付されたタイトルの一覧又は消去不可のコメントが付されたタイトルの一覧を出力することを特徴とする請求項５記載の録画再生装置。
【請求項７】
前記制御部は、
登録されているユーザ名の全てにおいて消去可のコメントが付されたタイトルについて、記録媒体から消去するか否かの選択を促すメッセージを出力することを特徴とする請求項５又は６記載の録画再生装置。
【請求項８】
前記所定時間が１０分であることを特徴とする請求項２〜７の何れかに記載の録画再生装置。
【請求項９】
前記録画再生装置が、光ディスク装置又はハードディスク装置であることを特徴とする請求項１〜８の何れかに記載の録画再生装置。
【発明の詳細な説明】
【技術分野】
【０００１】
本発明は、記録媒体にタイトル毎に録画しそれを再生する録画再生装置に関する。
【背景技術】
【０００２】
近年、ＤＶＤ装置やＨＤＤ装置などの録画再生装置が普及しており、その記憶容量は増える一方である。そのため、家族で同じ装置を使用する場合、各ユーザが容量を気にせず次々と録画してしまい、タイトル数が多くなる傾向にある。そうなるとタイトルの管理が煩雑になる。例えば、あるタイトルを消去してよいかどうか判断する際、誰が視聴したいのかそれとも視聴済みで不要なのかを各ユーザに確認しなければならず、使い勝手が悪い。また、自分がどのタイトルを視聴済みでどのタイトルを未視聴であるかの区別も難しい。
【０００３】
そこで、タイトルを管理する様々な技術が提案されている。例えば、特許文献１には、本装置に接続されたテレビジョン受信装置に対して送信される操作信号を受信し、テレビジョン受信装置の電源オン、オフ操作が行われた時間を示すマークと、本装置で記録中の番組と同じチャンネルと異なるチャンネルとの間でチャンネル変更操作が行われた時間を示すマークと、テレビジョン受信装置におけるアンテナ入力と本装置からのビデオ信号入力とを切り替える操作が行われた時間を示すマークとを記録媒体に記録することによって、録画した番組を再生する際に、視聴済み部分と未視聴部分の境目を容易に見つけることができるビデオ装置が開示されている。
【０００４】
また特許文献２には、録画する映像情報を録画予約された本編分と録画延長部に分けて、記録装置のファイルシステム管理上異なるファイルとして別に記録し、さらに、記録映像情報の識別名ごとに、本編分と録画延長部のファイルのファイル識別名とファイル削除フラグと映像情報の視聴済みフラグと保存優先を示すフラグとを録画管理情報として記録し、録画管理情報を基に映像情報の視聴管理とファイル管理を行う映像ファイルの管理方法が開示されている。
【０００５】
また特許文献３には、録画情報を再生する際に、再生時間帯を記録する再生情報記録手段と、お勧め番組表示を指示する指示手段と、指示手段によって指示された際の指示時刻と、過去に再生された各録画番組の再生時間帯とを含む再生時間帯の録画番組を選択し、それら選択された録画番組をジャンル毎に集計する属性毎集計手段と、その集計結果に基づいて、より多くの番組が属するジャンルのまだ再生されていない録画番組を選択し、お勧めの番組を表示するお勧め番組表示手段とを備えた番組提示装置が開示されている。
【０００６】
また、タイトルの管理に当たって、どのタイトルを消去するかについても各種の提案がなされており、特許文献４には、ＨＤＤ録画中にＨＤの残り時間ｔを算出し、ｔ≦１５分の場合には表示器上の残量不足の警告をオンにし、次いで、例えばｔ≦５分の場合にはＨＤに記録されている所定の番組、例えば視聴済みの番組や最も古い番組を消去してＨＤＤ録画を継続する記録再生装置が開示されている。
【０００７】
また特許文献５には、映像データの再生が停止されたとき、映像データの再生時間と該映像データの録画時間とを比較して、再生された映像データが予め設定された一定時間以上再生済であるか否かを判別して、再生された映像データが予め設定された一定時間以上再生済みである場合、その再生された映像データを消去する録画再生装置が開示されている。
【特許文献１】特開２００７−１７２７９１号公報
【特許文献２】特開２００６−２５０６６号公報
【特許文献３】特開２００６−２２９７０７号公報
【特許文献４】特開２００２−１１２１５０号公報
【特許文献５】特開２００６−３１７６１号公報
【発明の開示】
【発明が解決しようとする課題】
【０００８】
ところで、録画したタイトルを視聴する場合、よく行う操作として、所望のタイトルを再生させ、番組が終わった時点で残りのＣＭを残して停止させ、視聴を終了することがなされる。例えば、２時間のドラマを録画した場合、視聴の際には、最後の１０分程のＣＭを残して視聴を終了するユーザが多いと考えられる。つまり、タイトルの再生を途中で停止させた場合でも、そのユーザは視聴済みであると思っている場合が多いと考えられる。
【０００９】
このようなとき、視聴済みか否かを登録・管理できる機能があったとしても、そのタイトルが視聴済みか否かを管理するには、ユーザが自ら視聴済みであることを登録するしかないので、登録忘れが生じやすい。したがって、登録内容に信頼性がなくなってしまい、十分な役割を果たすことができない。
【００１０】
本発明は、タイトルに付加されたコメントの変更を適時に促すことで、効果的にタイトルの管理を行える録画再生装置を提供することを目的とする。
【課題を解決するための手段】
【００１１】
上記目的を達成するために本発明は、記録媒体にタイトル毎に録画しそれを再生する録画再生装置において、制御部は、操作に応じて、ユーザ名を登録し、操作に応じて、ユーザ名及びタイトルに対応させてコメントを付加し、再生を停止した場合、そのタイトルに付加されたコメントの変更を促すことを特徴とする。
【００１２】
この構成によると、タイトルエンドまで再生した場合やタイトルの再生を途中で停止した場合に、引き続いて、そのタイトルのコメントを変更することになる。
【００１３】
なお、コメントやユーザ名は、対応するタイトルが録画されている記録媒体に記録してもよいし、装置のメモリにタイトル名に対応させて記録するようにしてもどちらでもよい。
【００１４】
また上記の録画再生装置において、前記制御部は、再生を停止した場合であって、再生を停止した位置がそのタイトルの残り所定時間以内であった場合に、そのタイトルに付加されたコメントの変更を促すように制御してもよい。
【００１５】
この構成によると、所定時間をタイトルの最後に存在するであろうＣＭの時間を考慮して設定することにより、そのＣＭ中に再生を停止させた場合でも、視聴済みであると思っているユーザの意志をくみ取って、コメント変更を促すことができる。なお、所定時間は例えば、１０分とすることが望ましい。
【００１６】
また上記の録画再生装置において、前記コメントは、視聴済みと未視聴とを識別するものであることが望ましい。そうすると、前記制御部は、操作に応じて、登録されているユーザ名に対して検索し、未視聴のコメントが付されたタイトルの一覧又は視聴済みのコメントが付されたタイトルの一覧を出力することもできる。
【００１７】
したがって、ユーザは所望の条件でタイトルを検索することができ、使い勝手がよい。
【００１８】
また上記の録画再生装置において、前記コメントは、消去可と消去不可とを識別するものであることが望ましい。そうすると、前記制御部は、操作に応じて、登録されているユーザ名に対して検索し、消去可のコメントが付されたタイトルの一覧又は消去不可のコメントが付されたタイトルの一覧を出力することもできる。
【００１９】
したがって、ユーザは所望の条件でタイトルを検索することができ、使い勝手がよい。
【００２０】
また上記の録画再生装置において、前記制御部は、登録されているユーザ名の全てにおいて消去可のコメントが付されたタイトルについて、記録媒体から消去するか否かの選択を促すメッセージを出力することが望ましい。
【００２１】
この構成によると、不要なタイトルを管理する煩雑さがなくなるとともに、記録媒体の空き容量を増やすことができる。
【００２２】
上記の録画再生装置としては、例えば、光ディスク装置又はハードディスク装置を採用することができる。
【発明の効果】
【００２３】
本発明によれば、タイトルとユーザ名とコメントとの関係を管理しているので、それを様々な条件で検索できるようにすれば膨大な数のタイトルが管理しやすくなり、使い勝手を向上させることができる。そして、タイトルの再生停止後に、引き続いて、そのタイトルのコメントを変更することができるので、使い勝手がよい。また、こうすることでコメント内容の変更を忘れることもないので、コメント内容の信頼性を保持でき、効果的にタイトルを管理することができる。
【発明を実施するための最良の形態】
【００２４】
以下、録画再生装置の一例として、ハードディスクドライブ（ＨＤＤ）一体型光ディスク装置を用いて説明する。図１は、ＨＤＤ一体型光ディスク装置１０の構成及びその周辺機器を示すブロック図である。ＨＤＤ一体型光ディスク装置１０には、テレビ等の表示装置１１と、ケーブルテレビや衛星放送等のセットトップボックス又はビデオデッキ等の映像音声記録装置に代表される外部装置１２とが接続されている。またＨＤＤ一体型光ディスク装置１０は、リモコン１３によって操作可能である。以下では、光ディスクとしてＤＶＤを例に説明する。
【００２５】
ＨＤＤ一体型光ディスク装置１０は、アンテナ１５で受信したテレビ放送信号を復調、デジタル化するチューナ１６と、チューナ１６や外部装置１２から受け取った画像音声データをＭＰＥＧ２等に準拠して圧縮符号化したり、ＨＤＤ記録再生部１８又はＤＶＤ記録再生部１９で再生された圧縮された画像データを伸長復号したりする画像音声圧縮伸長部１７と、画像音声圧縮伸長部１７から受け取った圧縮された画像音声データをＨＤＤに記録したり、ＨＤＤに記録されたデータを再生したりするＨＤＤ記録再生部１８と、画像音声圧縮伸長部１７から受け取った圧縮された画像音声データを挿入されたＤＶＤに記録したり、ＤＶＤに記録されたデータを再生したりするＤＶＤ記録再生部１９と、各種設定値を表示装置１１の一部に表示しながら設定できるようにするＯＳＤ（On Screen Display）部２０と、ＯＳＤ部２０からの画像信号をアナログ化し、表示装置１１へ出力する画像出力部２１と、画像音声圧縮伸長部１７からの音声信号をアナログ化し、表示装置へ出力する音声出力部２２と、ＲＯＭやＲＡＭからなるメモリ２３と、リモコン１３からの信号を受信するリモコン受信部２４と、外部装置１２が接続される外部Ｉ／Ｆ２５と、ＨＤＤ一体型光ディスク装置１０の各部を制御する制御部２６とを備えている。
【００２６】
また、制御部２６は、ユーザの操作に基づいて、ユーザ名を登録するとともに、ユーザ名及びタイトルに対応させてコメントを付加する制御も行う。このときユーザ名とタイトル名とコメント内容とはメモリ２３に記憶される。コメント内容としては、例えば、視聴済みと未視聴とを識別する内容であったり、消去可と消去不可とを識別する内容であったりする。タイトル名としては、他のタイトルと区別できるものであればよく、録画した日時及びチャンネルやＥＰＧ（電子番組表）から取り込んだ番組名などを利用すればよい。
【００２７】
さらに、制御部２６は、再生を停止した位置がそのタイトルの残り所定時間（例えば、１０分）以内であった場合、そのタイトルに付加されたコメントの変更を促す制御も行う。そして、制御部２６は、ユーザの操作に基づいて、ユーザ名とタイトル名とコメント内容とを様々な条件で検索し、検索結果を表示装置１１へ表示させもする。このようにして制御部２６はタイトルの管理を行う。以下に、タイトルの管理方法について詳しく説明する。
【００２８】
まず、リモコン１３やＨＤＤ一体型光ディスク装置１０の操作パネル（不図示）がユーザにより操作され、メニュー画面が要求されると、制御部２６は、メモリ２３からメニュー画面を読み出して表示装置１１へＯＳＤ表示させる。図２にメニュー画面の一例を示す。メニュー画面３０には、ファイルリストの表示やユーザ名の登録などの項目が選択可能に表示されている。ファイルリストとは、タイトルとユーザ名とコメントとを関連づけたものであり、様々な表示形式で表示される。ユーザ名の登録とは、ＨＤＤ一体型光ディスク装置１０を使うユーザの名前を登録することであり、複数のユーザ名を登録しておくことができるので、ユーザが増えたときにその都度行えばよい。
【００２９】
図２ではファイルリストの項目の色が反転しており、その項目にカーソルがあることを示している。この状態からユーザによってカーソルが操作され何れかが選択され、決定されると、それぞれの処理に進む。なお、以降の図においても同様にカーソル位置を項目の色の反転で示すものとする。
【００３０】
メニュー画面３０の項目からユーザ名の登録が選択された場合、制御部２６は、メモリ２３からユーザ名登録画面を読み出して表示装置１１へＯＳＤ表示させる。図３にユーザ名登録画面の一例を示す。ユーザ名登録画面４０では、ユーザ名を入力する欄４１が設けられ、入力可能な状態となっている。ユーザ名の入力はリモコン１３やＨＤＤ一体型光ディスク装置１０の操作パネルから行われる。なお、ユーザ名は任意の文字を入力できるようにしてもよいし（図３参照）、Ａ、Ｂ、Ｃなど予め登録されている名前（記号や図柄を含む）から選択するようにしてもよい。名前の入力が完了し、決定キー（不図示）が押下されると、それをユーザ名としてメモリ２３に記憶し、図２の状態に戻るようにする。なお、本実施形態ではＡ〜Ｃで示す３つのユーザ名が登録されているものとする。
【００３１】
一方、メニュー画面３０の項目からファイルリストの表示が選択された場合、制御部２６は、メモリ２３から最新のファイルリストを読み出して表示装置１１へＯＳＤ表示させる。図４にファイルリスト画面の一例を示す。ファイルリスト画面５０には、全タイトル、消去候補、Ａ〜Ｃのユーザ名に対応してそれぞれ未視聴、視聴済、消去不可、消去可、お気に入りの項目が選択可能に表示されている。
【００３２】
全タイトルの項目は、現在選択されている記録媒体（ＤＶＤ又はＨＤＤ）に録画されている全てのタイトルを一覧表示させるものである。消去候補の項目は、登録されているユーザ名の全てにおいて消去可のコメントが付されたタイトルを一覧表示させるものである。
【００３３】
Ａさんに対応した未視聴の項目は、Ａさんがまだ視聴していないタイトルを一覧表示させるものであり、Ａさんに対応した視聴済の項目は、Ａさんが視聴済みのタイトルを一覧表示させるものであり、Ａさんに対応した消去不可の項目は、Ａさんが残しておきたいタイトルを一覧表示させるものであり、Ａさんに対応した消去可の項目は、Ａさんが不要なタイトルを一覧表示させるものであり、Ａさんに対応したお気に入りの項目は、Ａさんが特に残しておきたいタイトルを一覧表示させるものである。なお、Ｂさん及びＣさんの各項目についてはＡさんの各項目に準じているので説明を省略する。
【００３４】
このように、制御部２６は、登録されているユーザ名に対して検索し、未視聴のコメントが付されたタイトルの一覧、視聴済みのコメントが付されたタイトルの一覧、消去可のコメントが付されたタイトルの一覧又は消去不可のコメントが付されたタイトルの一覧を出力するので、ユーザは所望の条件でタイトルを検索することができ、使い勝手がよい。
【００３５】
なお、録画が終了した直後は、そのタイトルについては、全てのユーザのコメントを「未視聴」かつ「消去不可」に自動的に設定されるようにすればよい。そうすることで、常に全てのタイトルにコメントが付加された状態となるので、即時にファイルリストに反映される。
【００３６】
例えば、ファイルリスト画面５０において、Ａさんに対応した未視聴の項目が選択された場合は、図５に示すような一覧画面を表示させる。これには、制御部２６が、ユーザ名及びコメント内容からそれらを満たすタイトルをメモリ２３内で検索し読み出している。一覧画面６０では、Ａさんが未視聴のタイトルが、録画日時の古い順に上から下へ並べられている。ここではタイトル名として、そのタイトルを録画した日時とチャンネルと録画開始時刻と録画終了時刻とが示されている。これにより、ユーザは各タイトルを識別可能である。
【００３７】
一覧画面６０において、所望のタイトルにカーソルが合わせられ、再生キー（不図示）や消去キー（不図示）やコメント変更キー（不図示）が押下されると、制御部２６は、それぞれの要求に応じて処理を開始する。再生キーが押下された場合は、そのタイトルの再生を開始し、消去キーが押下された場合は、そのタイトルを本当に消去してよいかどうかを確認するメッセージを表示させ、そこで消去が選択された場合に、そのタイトルを記録媒体から消去する。タイトルの消去時にはそのタイトルに付加されたコメントも消去する。また、コメント変更キーが押下された場合は、そのタイトルに付加されているコメントの一覧を各項目内容を変更可能に表示させる。これには、制御部２６が、タイトル名からそれに対応したユーザ名及びコメントをメモリ２３内で検索し読み出している。
【００３８】
図６に、あるタイトルに付加されているコメント一覧画面を示す。コメント一覧画面７０では、登録されているユーザ名に対応してそれぞれ３つの項目が変更可能に表示されている。１つ目の項目は、「視聴済」と「未視聴」とを切り替えることで、そのタイトルをそのユーザが視聴済みか未視聴かを識別する項目である。２つ目の項目は、「消去可」と「消去不可」とを切り替えることで、そのタイトルをそのユーザが消去してもよいと考えているか残しておくと考えているかを識別する項目である。３つ目の項目は、「お気に入り」と「−（未登録）」とを切り替えることで、そのタイトルをそのユーザが気に入っていて特に残しておきたいと考えているか否かを識別する項目である。
【００３９】
なお、お気に入りの項目は、そのタイトルでそのユーザが「視聴済」かつ「消去不可」を選択した場合に、自動的に「−」から「お気に入り」に変更されるようにしてもよい。なぜなら、視聴済みにもかかわらず消去したくないということは、そのユーザはそのタイトルを気に入っているということだからである。例えば、コメント一覧画面７０においてＢさんの場合がこれに該当する。この場合、コメント一覧画面７０からお気に入りの項目をなくして手動で変更できないようにし、ファイルリスト画面５０にのみお気に入りの項目を表示させるようにしてもよい。
【００４０】
コメント一覧画面７０において、各項目における内容の切り替えは、例えば、所望の項目にカーソルが合わせられ、決定キー（不図示）が押下される毎に切り替えるようにすればよい。そして、終了ボタン７１にカーソルが合わせられて決定キーが押下されれば、表示させているコメント内容をメモリ２３に更新記憶し、図４の状態に戻るようにする。
【００４１】
これにより、Ａさんは自分のユーザ名に対応したコメント内容をそれぞれ変更することができる。例えば、Ａさんはそのタイトルを視聴していないが、視聴不要であると思っている場合、「消去可」を選択しておくと、他のユーザがそのタイトルを消去することができ、便利である。
【００４２】
なお、上記の実施形態において、１画面に表示しきれない場合は、次の画面に続くものとする。
【００４３】
なお、図５及び図６と同様に、ファイルリスト画面５０に設けられた何れの項目を選択した場合も同様の形式でタイトル一覧やコメント一覧が表示されるので、その詳細な説明は省略する。
【００４４】
このように、ＨＤＤ一体型光ディスク装置１０は、タイトルとユーザ名とコメントとの関係を管理し、それを様々な条件で検索できるようにすることで膨大な数のタイトルを管理しやすくし、使い勝手を向上させている。
【００４５】
また、登録されているユーザ名の全てにおいて消去可のコメントが付されたタイトルについては、その条件を満たした時点で、記録媒体から消去するか否かの選択を促すメッセージ（不図示）を出力し、そこで消去が選択された場合に、そのタイトルを記録媒体から消去するようにしてもよい。例えば、上記の実施形態では、Ａ〜Ｃのユーザが同じタイトルのコメントで「消去可」とした場合である。この構成により、不要なタイトルを管理する煩雑さがなくなるとともに、ディスクの空き容量を増やすことができる。
【００４６】
次に、再生時の制御について説明する。図７は、ＨＤＤ一体型光ディスク装置１０の再生時の動作を示すフローチャートである。まず、ステップＳ１０において、リモコン１３やＨＤＤ一体型光ディスク装置１０の操作パネル（不図示）がユーザにより操作され、ＨＤＤに記録されている何れかのタイトルの再生が指示されると、リモコン受信部２４が指示信号を受信し、制御部２６がそのタイトルの再生制御を開始する。なお、ＤＶＤに記録されているタイトルの再生が指示された場合も同様である。
【００４７】
次に、ステップＳ１１へ進んで制御部２６は、タイトルエンドまで再生したか否かを判別する。ステップＳ１１においてタイトルエンドまで再生した場合は、ステップＳ１３へ進んで再生を停止させる。
【００４８】
一方、ステップＳ１１においてタイトルエンドに達していない場合は、ステップＳ１２へ進んで制御部２６は停止キーが押下されたか否かを判別する。ステップＳ１２において停止キーが押下された場合は、ステップＳ１３へ進んで再生を停止させる。一方、ステップＳ１２において停止キーが押下されない場合は、ステップＳ１１に戻る。
【００４９】
なお、ステップＳ１２の操作は、再生を停止するものであればよく、一時停止キーの押下やスキップによりタイトルエンドまで進んだ場合でもよい。
【００５０】
ステップＳ１３からはステップＳ１４へ進んで再生を停止した位置がそのタイトルの残り所定時間（例えば、１０分）以内であるか否かを判別する。残り時間は、そのタイトルの総時間から再生の経過時間を差し引くことで求めることができる。
【００５１】
ステップＳ１４において所定時間以内であれば、ステップＳ１５へ進んでそのタイトルに付加されたコメントの変更を促す。つまり、図６に示したようなコメント一覧画面を表示装置１１に表示させる。一方、ステップＳ１４において所定時間以内でなければ、処理を終了する。
【００５２】
ステップＳ１５からはステップＳ１６へ進んで、ユーザによるコメント内容の変更を受け付け、コメント変更処理を行う。コメント変更処理は、図６で説明した処理であるので、ここでは説明を省略する。ここでのコメント変更は、例えば、「未視聴」を「視聴済」に、「消去不可」を「消去可」に変更するのが一般的である。
【００５３】
なお、所定時間はユーザが任意の時間を設定できるようにしてもよい。任意の時間を設定する方法は、予め登録されているいくつかの時間の中から選択するようにしたり、時間を数値で入力したりするような方法が考えられる。このとき、タイトルの最後に存在するであろうＣＭの時間を考慮して設定することにより、そのＣＭ中に再生を停止させた場合でも、視聴済みであると思っているユーザの意志をくみ取って、コメント変更を促すことができる。
【００５４】
したがって、タイトルの再生停止後に、ユーザがメニュー画面３０から操作してそのタイトルのコメント一覧画面７０を呼び出す必要がないので、使い勝手がよい。また、コメント内容の変更を忘れることもないので、コメント内容の信頼性を保持することができる。
【００５５】
なお、ステップＳ１４は必ずしも必要ではない。ステップＳ１４をなくした場合は、再生を停止したときに必ずそのタイトルに付加されたコメントの変更を促すように、コメント一覧画面を表示させる仕様となる。この構成によれば、再生を停止した位置に関係なく、視聴済みか否か、消去してよいか否かなどのユーザの意志を確認することができ、コメントの変更忘れを防止することができる。これは、例えば、あるタイトルを少し視聴したが興味がなかった場合等に、すぐにコメントを「消去可」にすることができる点で有効である。
【産業上の利用可能性】
【００５６】
本発明は、光ディスク装置やハードディスク装置等の録画再生装置に利用することができ、また、複数の記録再生部を１つの筐体に組み込んだ複合機、例えばＨＤＤ一体型光ディスク装置等にも利用することができる。
【図面の簡単な説明】
【００５７】
【図１】本発明のＨＤＤ一体型光ディスク装置の構成及びその周辺機器を示すブロック図である。
【図２】本発明のメニュー画面の一例である。
【図３】本発明のユーザ名登録画面の一例である。
【図４】本発明のファイルリスト画面の一例である。
【図５】本発明のタイトルの一覧画面の一例である。
【図６】本発明のコメント一覧画面の一例である。
【図７】本発明のＨＤＤ一体型光ディスク装置の再生時の動作を示すフローチャートである。
【符号の説明】
【００５８】
１０    ＨＤＤ一体型光ディスク装置（録画再生装置）
２６    制御部
【図１】
2009104735.tif 000003
【図２】
2009104735.tif 000004
【図３】
2009104735.tif 000005
【図４】
2009104735.tif 000006
【図５】
2009104735.tif 000007
【図６】
2009104735.tif 000008
【図７】
2009104735.tif 000009